(57)【要約】【課題】パッキンの変形に起因した密閉不良を防止する。【解決手段】扉２０Ｂの裏面の周縁にはパッキンが装着され、４辺のうちの上下の横辺と、自由端側の縦辺に装着されるパッキン３０Ａでは、マグネット挿入筒３６内にマグネット３７が挿入される。一方、扉２０の回動軸２６側の縦辺に装着されるパッキン３０Ｂのマグネット挿入筒３６内には、マグネット３７よりも剛性が低くかつ弾力性に富んだ軟質合成樹脂製のチューブ３８が挿入される。回動軸２６側の辺のパッキン３０Ｂは、他の辺のパッキン３０Ａと比べると閉扉時の変形量が大きい可能性が高いが、そのパッキン３０Ｂの内部には、剛性が低くかつ弾力性に富んだチューブ３８が挿入されているから、変形量をより大きく吸収することができ、言い換えると歪み変形をすることが阻止されて、密閉不良を防止することができる。【選択図】  図５
2004301473.tif 000002
【特許請求の範囲】
【請求項１】
貯蔵庫本体の出入口の一側縁には、扉の一側縁が回動可能に支持されるとともに、前記扉の裏面の周縁にはパッキンが装着され、前記パッキンを前記出入口の周縁に当接して閉鎖するようにしたものにおいて、
前記パッキンのうちの前記扉の回動軸側の辺部分を除く他の辺部分の内部にはマグネットが装着される一方、前記扉の回動軸側の辺部分の内部には、前記マグネットよりも剛性の低い弾性体が装着されていることを特徴とする貯蔵庫の扉装置。
【請求項２】
並設された出入口にはそれぞれ扉が隣接する側縁側で回動可能に支持され、両扉の表面が面一となった姿勢でそれぞれの裏面側が対応する前記出入口の周縁に当接されて閉鎖するとともに、各扉の前記回動軸が、この扉の表面とほぼ同一面上に位置して設けられることにより、一方の扉は、その表面を閉鎖している他方の扉の表面に重ねるように表裏反転した姿勢で開放可能となっていることを特徴とする請求項１記載の貯蔵庫の扉装置。
【発明の詳細な説明】
【０００１】
【発明の属する技術分野】
本発明は、貯蔵庫の扉装置に関するものである。
【０００２】
【従来の技術】
病院等で使用される温冷配膳車は、本体内に対をなす温蔵室と冷蔵室とが断熱性の仕切壁を挟んで並んで設けられ、それぞれの出入口に扉が観音開き式に装着されており、温食と冷食とを分けて載せたトレイが、両扉を開放しつつ仕切壁を貫通して両室にわたって収容されることで、温食は保温状態に、冷食は保冷状態にそれぞれ貯蔵することができるようになっている（例えば、特許文献１参照）。
ところで、この種の配膳車に用いられる扉は、両室内の断熱機能を高める等のために、自身が断熱構造となっているとともに、図７に示すように、扉１の裏面の周縁にマグネット２が埋設されたパッキン３が装着され、パッキン３を本体４（出入口の周縁）に磁力により吸着させて密着させることで気密に閉鎖するようになっている。
【０００３】
【特許文献１】
特開平１１−２８１２３９号公報
【０００４】
【発明が解決しようとする課題】
ところで、上記した扉１が開放された状態から、回動軸５を中心に回動して閉鎖される場合、図７に示すように、扉１の回動軸５側の側縁に配されたパッキン３が初めに本体４（出入口の口縁）に当接し、変形しながら密着する。言い換えると、回動軸５側のパッキン３が本体４に当接するときは、反対側の側縁のパッキン３が当接するときと比べると、本体１の前面とのなす角度αが大きく、それだけ正規の当接位置に至るまでに変形量が大きい。そのため、回動軸５側のパッキン３では内部でマグネット２がよじれ、パッキン３が歪に変形して密閉不良等を起こすおそれがあった。
【０００５】
特に、温蔵室と冷蔵室との対が複数組あって、一の組の扉が、他の組の隣り合った扉の表面側に重なって開放可能とされたもの（本発明の一実施形態に係る図１参照）では、回動軸５が本体４からより離間して配される必要があり、そうすると、回動軸５側のパッキン３の回動軸５を中心とした回動半径が大きくなり、その結果、回動軸５側のパッキン３は閉扉動作のより早い時点から本体４に当たり、正規位置に至るまでにより長い距離を摩擦抵抗を受けつつ本体４上を移動しなければいけないので、上記のパッキン３の変形をより受けやすいという事情がある。
本発明は上記のような事情に基づいて完成されたものであって、その目的は、パッキンの変形に起因した密閉不良を防止するところにある。
【０００６】
【課題を解決するための手段】
上記の目的を達成するための手段として、請求項１の発明に係る貯蔵庫の扉装置は、貯蔵庫本体の出入口の一側縁には、扉の一側縁が回動可能に支持されるとともに、前記扉の裏面の周縁にはパッキンが装着され、前記パッキンを前記出入口の周縁に当接して閉鎖するようにしたものにおいて、前記パッキンのうちの前記扉の回動軸側の辺部分を除く他の辺部分の内部にはマグネットが装着される一方、前記扉の回動軸側の辺部分の内部には、前記マグネットよりも剛性の低い弾性体が装着されている構成としたところに特徴を有する。
【０００７】
請求項２の発明は、請求項１に記載のものにおいて、並設された出入口にはそれぞれ扉が隣接する側縁側で回動可能に支持され、両扉の表面が面一となった姿勢でそれぞれの裏面側が対応する前記出入口の周縁に当接されて閉鎖するとともに、各扉の前記回動軸が、この扉の表面とほぼ同一面上に位置して設けられることにより、一方の扉は、その表面を閉鎖している他方の扉の表面に重ねるように表裏反転した姿勢で開放可能となっているところに特徴を有する。
【０００８】
【発明の作用及び効果】
＜請求項１の発明＞
パッキンのうち、マグネットが内部に装着された辺部分のパッキンは、磁力によって出入口の周縁に密着され、弾性体が内部に装着された扉の回動軸側における辺部分のパッキンは、他の辺部のパッキンが磁気吸着されることに伴い、弾性体を弾性変形させつつ残りの出入口の周縁に密着され、もって出入口の周縁が全周にわたって密閉される。
扉の回動軸側の辺部分のパッキンは、他の辺部分と比べると閉扉時の変形量が大きい可能性が高いが、回動軸側の辺部分のパッキンの内部には、マグネットよりも剛性の低い弾性体が装着されているから、変形量をより大きく吸収することができ、言い換えると歪み変形をすることが阻止されて、密閉不良を防止することができる。
【０００９】
＜請求項２の発明＞
扉が隣り合った扉の表面側に重なって開放される形式のものでは、扉の回動軸が本体からより離間して配される必要があり、そのため回動軸側の辺部分のパッキンは、回動半径が大きくなる等でその変形量がさらに大きくなるおそれがあるが、同様に剛性の低い弾性体が内部に装着されていることで変形量が吸収され、確実に密閉することができる。
【００１０】
【発明の実施の形態】
以下、本発明を温冷配膳車に適用した一実施形態を図１ないし図６に基づいて説明する。
温冷配膳車は、図１に示すように、表裏両面が開口された矩形状の断熱箱体からなる配膳車本体１０を備えており、底面にはキャスタ１１が装備されて、ハンドル１２に手を掛けて前後に引きまたは押し操作できるになっており、上面には機械室１３が設置されている。
【００１１】
本体１０内は、断熱壁（図示せず）により前後２つの部屋に仕切られ、さらに各部屋が断熱性の仕切壁１５により２つに仕切られており、両端の２室が温蔵室１６、中央の２室が冷蔵室１７となっていて、隣り合う温蔵室１６と冷蔵室１７とが対をなし、それぞれに後記する観音開き式の扉２０が装備されている。
そして、温食と冷食とを区分けして載置したトレイＴが、仕切壁１５を貫通しつつ棚１８に載せられることによって対をなす温蔵室１６と冷蔵室１７とに収容され、温食が温蔵、また冷食が冷蔵されて保存されるようになっている。
【００１２】
続いて扉装置について説明する。
本体１０の前後の開口部１０Ａには、それぞれ４枚ずつの扉２０が装備されており、外側の２枚の扉２０Ａは温蔵室１６用であって、それぞれ本体１０の開口部１０Ａの左右両側縁側を回動中心として、開閉可能に支持されている。一方、中央の２枚の扉２０Ｂは冷蔵室１７用であって、中央の断熱壁側を回動中心として開閉されるようになっている。なお、扉２０Ａ，２０Ｂを共通して説明する場合は、扉２０と称する。
扉２０は、図２にも示すように、方形状の枠体２１内に、透明な樹脂板またはガラス板からなる２枚の窓板２２が間隔を開けて嵌着された断熱構造となっており、回動中心側とは反対の自由端側（図２の右側）の縦枠が取手枠２１Ａとされている。枠体２１における外縁側の裏面には、後記するパッキン３０を装着するための装着溝２４が、方形状をなして形成されている。
【００１３】
各扉２０は、以下のようにして支持されている。冷蔵室１７側の２枚の扉２０Ｂは、取手枠２１Ａを外側に配した姿勢において、上記のようにそれぞれ中央の断熱壁側を回動中心として支持される。そのため図３に示すように、本体１０の開口部１０Ａにおける幅方向の中央部の上下両端には、それぞれヒンジプレート２５が突設され、上下のヒンジプレート２５から突設されたヒンジピン２６が、扉２０Ｂの回動軸側となる端部の上下両面に装着されたブラケット２７の軸受孔２８に嵌合されている。
【００１４】
両扉２０Ｂは、開口部１０Ａと平行な姿勢を取って、それぞれの表面を面一とした状態で閉鎖可能となっている。また、図３に示すように、上下のヒンジピン２６の軸線が、閉鎖された扉２０Ｂの表面（枠体２１の表面）と同一面上に位置するように設定されている。これにより、例えば図３の右側の扉２０Ｂをヒンジピン２６を中心として同図の時計回り方向に回動させると、右側の扉２０Ｂの表面が、左側の扉２０Ｂの表面に重なり合うようにして、１８０度開放可能となっている。
【００１５】
なお、温蔵室１６側の扉２０Ａは、本体１０の開口部１０Ａにおける左右の側縁の上下両端に配されたヒンジピン２６によって回動可能に支持されており、詳しい説明は省略するが、上下のヒンジピン２６の軸線は、閉鎖された扉２０Ａの表面（枠体２１の表面）の延長面と、本体１０の前後の側面の延長面とが交差した鉛直線上に位置するように設定されており、これにより扉２０Ａは、図１に示すように、扉２０Ａの表面を本体１０の側面に重なり合わせるようにして、２７０度開放することができるようになっている。
【００１６】
扉２０の裏面には上記のようにパッキン３０が装着されており、各扉２０は、温蔵室１６または冷蔵室１７の出入口１６Ａ，１７Ａの開口縁にパッキン３０を当接させて閉鎖されるようになっている。なお、温蔵室１６は、本体１０の左または右の側縁、上下両縁及び仕切壁１５によって出入口１６Ａの開口縁が形成され、一方冷蔵室１７は、断熱壁、本体１０の上下両縁及び仕切壁１５によって出入口１７Ａが形成されているが、本体１０並びに断熱壁の外殻体が磁性の例えばステンレス鋼板で形成され、また、仕切壁１５の端面には磁性板１５Ａが張設されることによって、両出入口１６Ａ，１７Ａの開口縁は全周にわたって磁性材で形成されている。
【００１７】
パッキン３０は、ゴム材を押し出し成形して形成されており、縦横２本ずつが準備され、４５度に切断された端部同士を接続することで、全体として方形状に配されるようになっている。
パッキン３０の断面形状は、図４に示すようになっており、基板３１の裏面に、扉２０の装着溝２４に差し込み可能な中空のほぼ鏃状をなす取付部３２が形成されているとともに、表面の外側の側縁寄りの位置には、空気室３４を介して、方形状をなすマグネット挿入筒３６が形成されている。
【００１８】
ここで、４本のパッキン３０のうちの、上下２本の横向きのパッキン３０Ａ、並びに扉２０の自由端側の縦枠に沿って装着されるパッキン３０Ａ（図４の右側）には、マグネット挿入筒３６内に、方形断面をなすマグネット３７がほぼ緊密に挿入される。
一方、扉２０の回動軸側の縦枠に沿って装着されるパッキン３０Ｂのマグネット挿入筒３６内には、マグネット３７よりも剛性が低くかつ弾力性に富んだ、例えば軟質合成樹脂からなる円筒形のチューブ３８が挿入されている。このチューブ３８は、ほぼ楕円形に弾性変形しつつマグネット挿入筒３６に挿入され、自然状態では、チューブ３８が装着された側のマグネット挿入筒３６の表面（接触面）が、マグネット３７が装着された側のマグネット挿入筒３６の接触面よりも、表面側に突出している。
【００１９】
本実施形態の作用は以下のようである。
既述したように、各扉２０の裏面には、縦横４本のパッキン３０が、取付部３２を装着溝２４に差し込みつつ方形に配されて装着される。ここで、扉２０の回動軸側のパッキン３０Ｂにおけるマグネット挿入筒３６にはチューブ３８が挿入され、残りの３本のパッキン３０Ａのマグネット挿入筒３６にのみマグネット３７が挿入される。
冷蔵室１７側の扉２０Ｂを例に取ると、扉２０Ｂが開放状態から閉鎖されると、パッキン３０のうち、まず図５に示すように、回動軸側のパッキン３０Ｂのマグネット挿入筒３６が出入口１７Ａの対応する開口縁に当たり、続いて上下のパッキン３０Ａのマグネット挿入筒３６が、出入口１７Ａの上下の開口縁に対して回動中心側から順次に当たり、最後に図６に示すように、自由端側のパッキン３０Ａのマグネット挿入筒３６が対応する開口縁に当たり、上下両縁と自由端側のパッキン３０Ａがマグネット３７の磁力によって出入口１７Ａの周縁に密着され、それに伴い、回動軸側のパッキン３０Ｂが弾性変形して残りの開口縁に密着され、もって出入口１７Ａの周縁が全周にわたって密閉される。
【００２０】
ここで、扉２０の回動軸側のパッキン３０Ｂは、本体１０（出入口１７Ａの開口縁）に当接した際、図５に示すように本体１０の前面とのなす角度αが大きく（反対の自由端側では図６に示すように角度βが小さい）、それだけ正規の当接位置に至るまでに変形量が大きい。特に、扉２０Ｂが隣り合った扉２０Ｂの表面側に裏返しに重なって開放される構造を採っているため、ヒンジピン２６（回動軸）が本体１０からより離間して配される必要があり、そうすると回動軸側のパッキン３０Ｂの回動軸を中心とした回動半径が大きくなるために、回動軸側のパッキン３０Ｂは閉扉動作のより早い時点から本体１０に当たり、正規位置に至るまでにさらに長い距離を摩擦抵抗を受けつつ出入口１７Ａの開口縁上を移動しなければいけないので、さらに変形を受けやすいという事情がある。
【００２１】
その点この実施形態では、回動軸側のパッキン３０Ｂの内部には、マグネット３７よりも剛性の低いチューブ３８が挿入されているから、弾性変形を伴って変形量をより大きく吸収することが可能であり、言い換えるとパッキン３０Ｂの特にマグネット挿入筒３６が歪み変形をすることが阻止されて、密閉不良を防止することができる。
また、回動軸側のパッキン３０Ｂでは、マグネット挿入筒３６内にマグネット３７に代わってチューブ３８が挿入されているだけであって、パッキン３０自体には４辺とも共通の断面形状のものが使用できるから、専用の成形型を備える等のコスト高を招くおそれがない。
なお、温蔵室１６側の扉２０Ａについても、同様の作用効果を得ることができる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）扉の回動軸側のパッキンの内部に装着する弾性体としては、上記実施形態に例示した軟質のチューブに限らず、要はマグネットよりも剛性の低い弾力性に富んだものであればよい。
（２）また本発明は配膳車に限らず、冷蔵ショーケース等の他の貯蔵庫における扉装置全般に広く適用することが可能である。
【図面の簡単な説明】
【図１】本発明の一実施形態に係る温冷配膳車の外観斜視図
【図２】扉が全閉された状態の一部切欠平断面図
【図３】一方の冷蔵室側の扉が全開された状態の平面図
【図４】扉におけるパッキンの装着部分を示す部分拡大断面図
【図５】扉の閉鎖途中の状態を示す平面図
【図６】扉の全閉直前の状態を示す平面図
【図７】従来例に係る扉の閉鎖途中の状態を示す平面図
【符号の説明】
１０…配膳車本体（貯蔵庫本体）  １６…温蔵室  １６Ａ…（温蔵室１６の）出入口  １７…冷蔵室  １７Ａ…（冷蔵室１７の）出入口  ２０，２０Ａ，２０Ｂ…扉  ２６…ヒンジピン（回動軸）  ３０，３０Ａ，３０Ｂ…パッキン  ３６…マグネット挿入筒  ３７…マグネット  ３８…チューブ（弾性体）
【図１】
2004301473.tif 000003
【図２】
2004301473.tif 000004
【図３】
2004301473.tif 000005
【図４】
2004301473.tif 000006
【図５】
2004301473.tif 000007
【図６】
2004301473.tif 000008
【図７】
2004301473.tif 000009